(57)【要約】【目的】下草が絡まっても漏電を生じず、又、小動物の侵入を可及的に防止できる電気柵を提供すること。【構成】上記課題を解決するために、本発明に係る電気柵は以下のように構成した。請求項１：表面が導電性を有する線材と、前記線材を接地面から絶縁して架設する支柱と、前記線材に電気ショック用の電圧をかける電源装置とを備えた電気柵において、電源装置のマイナス極に接続された線材を接地面に近い側から１本あるいは複数本設け、前記マイナス極に接続された線材の上部に電源装置のプラス極側に接続された線材を１本あるいは複数本設ける。請求項２：請求項１記載の電気柵において、最下端の線材の、接地面からの高さを１０センチ以下に設ける。【選択図】        図１
2010051270.tif 000002
【特許請求の範囲】
【請求項１】
表面が導電性を有する線材と、前記線材を接地面から絶縁して架設する支柱と、前記線材に電気ショック用の電圧をかける電源装置とを備えた電気柵において、電源装置１のマイナス極１ｂに接続された線材３ｂを接地面に近い側から１本あるいは複数本設け、前記マイナス極１ｂに接続された線材３ｂの上部に電源装置１のプラス極１ａ側に接続された線材３ａを１本あるいは複数本設けた電気柵。
【請求項２】
最下段に設けられた線材３ｂの、接地面からの高さが１０ｃｍ以下である請求項１記載の電気柵。
【発明の詳細な説明】
【技術分野】
【０００１】
本発明は農耕地や果樹園などに害獣が侵入することを防止するために用いられる電気柵に関する。
【背景技術】
【０００２】
農耕地や果樹園などではイノシシやシカ、その他の小動物（以下、害獣と称する）が侵入し、作物等を食い荒らすことを防止するために電気柵が用いられることがある。ここに電気柵とは支柱に取り付けられた碍子によって支えられた、それぞれがプラスあるいはマイナスの電極に接続された裸電線に、パルス状の高電圧を印加するか、あるいはプラス極を裸電線に接続し、マイナス極を地面（アース）に接続して、動物が裸電線に触れると電気ショックによる痛みを感じて退散することで、動物の侵入を防ぐものである。すなわち、害獣の身体の電気を通しやすい部位がプラス線と地面（又はマイナス線）の両方に同時に触れると感電が起こり、以後、怖がり避けるようになる心理的効果を利用するものである。
【０００３】
かかる電気柵を記した特許文献として、例えば、特開平６−２２５６８０号公報や特開２００４−１２９６００号公報などがある。
【特許文献１】特開平６−２２５６８０号公報
【特許文献２】特開２００４−１２９６００号公報
【発明の開示】
【発明が解決しようとする課題】
【０００４】
上述のように構成される電気柵には以下のような難点がある。
【０００５】
１、下草が伸び裸電線に絡まると漏電が生じ、電圧が低下してしまう。係る事態が生じると害獣が裸電線に触れても電気ショックが弱くなり、その侵入を防ぎえなくなる。
【０００６】
２、したがって下草が繁茂しないよう、こまめに草刈りを行う必要が生じる。電気柵は通常長距離にわたり設置されるものであることから、係る作業は労力の大きいものになりがちである。
【０００７】
３、更には、最下段に張設する裸電線であっても、下草が容易に絡まない程度の地面からの一定高さが必要となり、小動物、例えばタヌキやヌートリアなどの侵入を防ぎ得ない。
【０００８】
４、又、マイナス極を地面（アース）に接続するタイプの電気柵では、導電性を有する土の上に電気柵を設置する必要がある。さもないと害獣の体内を電流が流れず、電気ショックを与えることが出来ないからである。係る理由から側溝や、コンクリート、舗装された道路、岩の上など導電性を有しない地面上を電気柵の一部が通過する場合、当該導電性を有しない地面上に土を盛る必要がある。又、下草の成長を抑えるために防草シートを敷設した場合なども、害獣の体内を電流が流れにくくなり、受ける電気ショックは小さくなってしまう。
【０００９】
５、電気柵に電気を供給する電源装置のマイナス極と地面（アース）を接続する際は、電源装置の近くにアース端子を埋め込むことになる。ところが、アース設置場所が瓦礫や乾燥地などの場合には、接地抵抗（アース抵抗）が大きくなるために、害獣の身体を流れた電流が電源装置に戻りにくくなり、受ける電気ショックが小さくなる。
【課題を解決するための手段】
【００１０】
上記課題を解決するために、本発明に係る電気柵は以下のように構成した。
【００１１】
請求項１：表面が導電性を有する線材と、前記線材を接地面から絶縁して架設する支柱            と、前記線材に電気ショック用の電圧をかける電源装置とを備えた電気柵に            おいて、電源装置のマイナス極に接続された線材を接地面に近い側から１本            あるいは複数本設け、前記マイナス極に接続された線材の上部に電源装置の            プラス極側に接続された線材を１本あるいは複数本設ける。
【００１２】
請求項２：請求項１記載の電気柵において、最下段の線材の、接地面からの高さを１０            センチ以下に設ける。
【発明の効果】
【００１３】
以下、前記のように構成される本発明が、如何にして課題を解決するかを詳述する。
【００１４】
本発明に係る電気柵においては接地面に近い側の線材は、電源装置のマイナス極に接続されている。とすれば下草が伸びて前記マイナス極に接続されている線材に絡まったとしても漏電は生じず、電圧の低下は起こらない。それどころか、当該下草がアースの役目を果たすことになり、侵入しようとする害獣に、より効果的に電気ショックを与えることが可能となる。かように本発明に係る電気柵によれば、下草が絡まってもプラス極側に接続された線材にまで至らない限りは漏電を生じず、つまりは煩雑に草刈りを行う手間が省けるのである。
【００１５】
又、下草が絡まっても漏電が生じないことから、請求項２記載の発明のように最下段に設けられた線材の接地面からの高さを１０ｃｍ以下、つまりは地面に沿う形状にも設定することも可能となるのである。かように地面すれすれにでも線材を架設することが可能なことから、小動物であっても最下段の線材と地面との隙間から柵内に侵入することが出来ない。
そして小動物は鼻先が線材に当たると線材をよじ登る習性を有することから、侵入しようとした小動物は線材を伝って上部によじ登っていくことになる。すると、プラス極側に接続された線材とマイナス極側に接続された線材に、身体が同時にふれた段階で電気ショックを受けることになるのである。つまりは、本発明によれば小動物の侵入を効率的に防ぐことが可能となるのである。
【００１６】
又、本発明に係る電気柵はプラス極に接続された線材と、マイナス極に接続された線材とが支柱間にわたり張りめぐらされるものであり、害獣の身体が両線材に同時に触れれば電気ショックを受けるものである。つまりは、必ずしも地面を通じて害獣の身体に電流が流れる必要はないものである。ゆえに本発明によれば側溝やコンクリート等の導電性を有しない地面上に電気柵を接地する場合でも、盛り土をする必要はないのである。
【００１７】
本発明は接地面に近い側にマイナス極に接続された線材が架設されていることから、図１乃至図３に示すように任意箇所にアース棒を埋め、線材と連結することで容易にアースを設けることができる。電気柵を設置する場所に、アスファルトやコンクリートで舗装された地面が存することが多々あることから、本発明のように任意箇所でアースを取れることは、非常に設置の容易性を高めることになるのである。
かように本発明によれば接地抵抗が小さい任意箇所でアースを取ることが可能となり、害獣に効果的に電気ショックを与えることが可能となるのである。
【発明を実施するための最良の形態】
【００１８】
以下、本発明に係る電気柵の好ましい実施形態につき、図面を参照しながら詳述する。
【００１９】
図１は小動物の侵入を防止するのに好適な本発明に係る電気柵の概略説明図であり、図２はイノシシ等の侵入を防止するのに好適な本発明に係る電気柵の概略説明図であり、図３はシカ等の侵入を防止するのに好適な本発明に係る電気柵の概略説明図である。
【００２０】
図中１は衝撃電流パルスを発生する電源装置であり、２は支柱、３ａ，３ｂは線材、４はアース棒である。
【００２１】
電源装置１は、その電源として交流電源、蓄電器、乾電池、ソーラー電池などいずれも使用可能であり、プラス極（出力端子）１ａ、マイナス極（アース端子）１ｂ、その他図示していないが電源スイッチや電源ランプ等を備えるものである。そして、前記プラス極１ａに、衝撃電圧を間歇的に印加するものである。
【００２２】
前記プラス極１aより延設された出力線５は、線材３ａに接続され、前記マイナス線１ｂより延設されたアース線６は、地中に埋設されたアース棒４に接続されている。前記アース線６は中途で分岐し、線材３ｂに接続されるものである。
【００２３】
支柱２は、その下端は地面に差し込めるよう尖形を呈しており、強度があり、且つある程度の絶縁性を有しているものが好ましい。例えば、高機能性プラスチックやガラス繊維を使用したものなどを使用することができる。或いは材質が鉄の中空の材料に電気絶縁性の塗装を施したものなどを用いることも可能である。
【００２４】
線材３ａ，３ｂは支柱２に、碍子７を介して、上下に間隔をおいて支持されている。線材３ａ，３ｂは、導電性のある裸線や導電性のある複数の金属線とポリエステルなど化学繊維を寄り合わせたポリ複合線、導電性のある金属線の周りを導電性特殊プラスチックで被覆したものなどを使用することができる。
【００２５】
図１は小動物の侵入を防ぐのに最適な電気柵を示している。およそ３メートル間隔に設置した支柱２・・間にわたり、線材３ａ，３ｂが架設されている。線材３ｂ・・は地面Ｇと略同一高さから５ｃｍ間隔で６本架設し、その上部に５ｃｍ距離をおいて線材３ａを架設し、当該線材３ａから１０ｃｍ間隔をおいて線材３ａを２本架設してある。最下端の線材３ｂは図示していないがペグを用いて地面に固定されている。線材３ｂ同士、線材３ａ同士は、導電性を有する渡り線８で接続されている。これにより各線材３ａ・・はプラス極１ａに接続されることになり、各線材３ｂ・・はマイナス極１ｂに接続されることになる。又、全ての線材３ａ、線材３ｂは複数箇所で絶縁性を有する縦線９・・で結ばれている。各線材間の距離を維持するためである。
【００２６】
又、線材３ｂには任意箇所でアース線６をとり、地中に埋設されたアース棒４に接続されている
図２はイノシシの侵入を防ぐのに最適な電気柵を示している。図１に示される電気柵との違いは線材３ａ，３ｂの架設の仕方である。つまり、地面Ｇから１０ｃｍの距離をおいて線材３ｂを架設し、当該線材３ｂから１０ｃｍの距離をおいて線材３ａを架設し、当該線材３ａから２０ｃｍの距離をおいて線材３ａを架設してある。その他の設置方法は図１に示される電気柵とほぼ同様である。
【００２７】
図３はシカの侵入を防ぐのに最適な電気柵を示している。図２に示される電気柵との違いは線材３ａ，３ｂの架設の仕方である。つまり、地面Ｇから１０ｃｍの距離をおいて線材３ｂを架設し、当該線材３ｂから１０ｃｍの距離をおいて線材３ａを架設し、当該線材３ａから２０ｃｍの距離をおいて線材３ａを架設し、以下、線材３ａを３０ｃｍ間隔で３本架設してある。その他の設置方法は図２に示される電気柵とほぼ同様である。
【００２８】
尚、上述の図１乃至図３に示される電気柵は、好適な設置方法を示す例示であり、本発明の内容が上述の態様に限定されるものではない。
【図面の簡単な説明】
【００２９】
【図１】小動物の侵入を防止するのに好適な本発明に係る電気柵の概略説明図。
【図２】イノシシ等の侵入を防止するのに好適な本発明に係る電気柵の概略説明図。
【図３】シカ等の侵入を防止するのに好適な本発明に係る電気柵の概略説明図。
【符号の説明】
【００３０】
１・・電源装置
１ａ・・プラス極
１ｂ・・マイナス極
３ａ，３ｂ・・線材
【図１】
2010051270.tif 000003
【図２】
2010051270.tif 000004
【図３】
2010051270.tif 000005